(57)【要約】マルチメディアコンテンツ用受信器／デコーダ（ＲＤ）は、マルチメディアコンテンツを表すデータと、そのマルチメディアコンテンツに関連する外乱データとを受け取る。受信器／デコーダ（ＲＤ）は、マルチメディアコンテンツを表すデータを、自身に局所的に記憶されている関連する外乱データに基づいて処理する。次いで、受信器／デコーダ（ＲＤ）は、複数の外乱レベルの中の、局所的な妨害権も依存する外乱レベルに従って、外乱データによって定義される外乱を伴って表示するために、マルチメディアコンテンツを表示手段（ＳＶ）に送信する。
2011517381.tif 000002
【特許請求の範囲】
【請求項１】
マルチメディアコンテンツを表示する方法であって、
前記マルチメディアコンテンツを表すデータ及び前記マルチメディアコンテンツに関連する外乱データを受信器／デコーダで受け取るステップと、
前記マルチメディアコンテンツを表す前記データを、関連する外乱データに従って且つ前記受信器／デコーダに局所的に記憶されている妨害権に従って処理するステップと、
局所的な妨害権に依存する外乱レベルに従って、前記外乱データによって定義される外乱を有して前記マルチメディアコンテンツを表示するステップと
を有する方法。
【請求項２】
予備的なステップとして、
妨害権管理メッセージを前記受信器／デコーダによって受け取るステップと、
前記妨害権管理メッセージに含まれる情報に従って、前記受信器／デコーダで局所的な妨害権を記憶し及び／又は更新するステップと
を有する、ことを特徴とする請求項１に記載の方法。
【請求項３】
前記マルチメディアコンテンツの表示において前記外乱レベルを低下させるユーザコマンドを受け取るステップと、
前記受信器／デコーダに予め記憶されているトークンの数を減少させることによって局所的な妨害権を更新し、前記トークンの数は前記ユーザコマンドを介して決定されるステップと、
更新された前記局所的な妨害権に依存する新たな外乱レベルに従って、前記マルチメディアコンテンツの表示を変更するステップと
を更に有する、ことを特徴とする請求項１又は２に記載の方法。
【請求項４】
前記マルチメディアコンテンツの表示において前記外乱レベルを低下させるユーザコマンドを受け取るステップと、
管理モジュールを含む遠隔サーバからのトークンの獲得を通じて前記局所的な妨害権を更新するための要求を送信するステップと、
前記遠隔サーバを介して行われ得る前記トークンの獲得時の局所的な妨害権の更新を含む妨害権管理メッセージを、前記受信器／デコーダを介して受け取るステップと、
前記妨害権管理メッセージに含まれる情報に従って、前記受信器／デコーダで局所的な妨害権を更新するステップと、
更新された前記局所的な妨害権に依存する新たな外乱レベルに従って、前記マルチメディアコンテンツの表示を変更するステップと
を更に有する、ことを特徴とする請求項１又は２に記載の方法。
【請求項５】
外乱インテグリティデータが、前記マルチメディアコンテンツを表すデータ及び前記マルチメディアコンテンツに関連する外乱データとともに受信器／デコーダで受け取られ、
当該方法は、
前記マルチメディアコンテンツの表示の前に、外乱インテグリティデータを用いて、受け取った外乱データのインテグリティを確認するステップと、
前記インテグリティを確認するステップで前記外乱データが誤っていることが明らかになる場合に、所定の最大外乱レベルを有して前記マルチメディアコンテンツを表示するステップ、又は
前記インテグリティを確認するステップで前記外乱データが正しいことが明らかになる場合に、前記受信器／デコーダの前記局所的な妨害権に依存する外乱レベルを有して前記マルチメディアコンテンツを表示するステップと
を更に有する、ことを特徴とする請求項１乃至４のうちいずれか一項に記載の方法。
【請求項６】
前記受信器／デコーダが前記マルチメディアコンテンツを表すデータを受け取っている間、データは暗号化された形で受け取られ、前記マルチメディアコンテンツを表すデータを受け取るステップは、前記受信器／デコーダによるアクセス権制御データの受信を更に含み、
前記受信器／デコーダで前記マルチメディアコンテンツを表すデータを処理する前に、当該方法は、前記受信器／デコーダが前記マルチメディアコンテンツにアクセスする権利を有する場合、アクセス権制御データから得られる暗号キーを用いて、前記マルチメディアコンテンツを表すデータを復号化するステップを更に有する、ことを特徴とする請求項１乃至５のうちいずれか一項に記載の方法。
【請求項７】
前記外乱インテグリティデータ及び前記アクセス権制御データは、望ましくは暗号化を介して、保護メッセージにおいて前記受信器／デコーダによって受け取られる、ことを特徴とする請求項６に記載の方法。
【請求項８】
前記外乱データは、少なくとも部分的に前記マルチメディアコンテンツをマスキングすることを目的とする外乱コンテンツ、又は前記マルチメディアコンテンツの表示をその表示の間変更することを目的とする前記マルチメディアコンテンツの変更データを含む、ことを特徴とする請求項１乃至７のうちいずれか一項に記載の方法。
【請求項９】
前記外乱データは、異なったユーザプロフィールに関連する複数の異なったパブリシティコンテンツを含むことができ、
当該方法は、前記マルチメディアコンテンツの表示の間外乱の形で挿入されるパブリシティコンテンツを前記受信器／デコーダで決定するステップを更に有する、ことを特徴とする請求項８に記載の方法。
【請求項１０】
局所的な妨害権に依存する外乱レベルに従って前記外乱データによって定義される外乱を有して前記マルチメディアコンテンツを表示するステップの前に、当該方法は、所定の期間の間、如何なる外乱も伴わずに前記マルチメディアコンテンツを表示するステップを有する、ことを特徴とする請求項１乃至９のうちいずれか一項に記載の方法。
【請求項１１】
マルチメディアコンテンツの受信器／デコーダであって、
前記マルチメディアコンテンツを表すデータ及び前記マルチメディアコンテンツに関連する外乱データを通信ネットワークから受け取るよう備えられた通信手段と、
前記マルチメディアコンテンツを表す前記データを、関連する外乱データに従って且つ当該受信器／デコーダに局所的に記憶されている妨害権に従って処理するとともに、前記局所的な妨害権に依存する外乱レベルに従って、前記外乱データによって定義される外乱を有して前記マルチメディアコンテンツを表示手段に提供するよう備えられた復号化手段と
を有する受信器／デコーダ。
【請求項１２】
通信ネットワークに接続されている受信器／デコーダに送信されることを目的とするマルチメディアコンテンツを提供する装置であって、
前記マルチメディアコンテンツを表すデータを前記受信器／デコーダに局所的に記憶されている妨害権に従って処理し、前記マルチメディアコンテンツを該マルチメディアコンテンツに関連する外乱データによって定義される外乱を有して前記局所的な妨害権に依存する外乱レベルに従って表示するために前記受信器／デコーダによって用いられることを目的とする、前記マルチメディアコンテンツに関連する前記外乱データの生成のための手段を有する装置。
【発明の詳細な説明】
【技術分野】
【０００１】
本発明は、伝播を介した（すなわち、ブロードキャスティングによる又はポイント・ツー・マルチポイントによる（例えば、ケーブル又は衛星を介したテレビ放送））又はブロードバンドを介した（例えば、ＩＰにおけるテレビ放送）、通信ネットワークに接続されている受信器／デコーダへのマルチメディアコンテンツの送信に関する。
【背景技術】
【０００２】
ここで、「受信器／デコーダ」とは、一方で、少なくともコンテンツデータの通信ネットワーク（有線又は無線）ブロックから受信することができる通信手段と、他方で、受け取ったコンテンツデータのブロックを処理することができ、それにより、コンテンツデータによって定義されるコンテンツがあらゆるタイプの表示手段（例えば、スクリーン、映像投影機又は旧来の映写機）を介して表示され得るようにする復号化手段とを有するあらゆるタイプの装置をいう。結果として、それは、例えば、場合によりテレビ受像機の一部であるデジタルデコーダ若しくはセットトップボックス型の装置、固定式の若しくは持ち運び可能なコンピュータ、固定式の若しくは持ち運び可能な電話機、通信可能なパーソナルデジタルアシスタント（ＰＤＡ）、又は輸送車両に装着された、場合によりＴＮＴ／ＤＶＢ−Ｈタイプの移動体端末に関係することがある。
【０００３】
更に、ここで、「マルチメディアコンテンツ」とは、場合により音響を伴う少なくとも画像シーケンス（例えば、ビデオ、映画又はテレビ番組）を定義するあらゆるタイプのデータの組をいう。また、「マルチメディアコンテンツ」は、単純に、音響又はテキストデータであってもよい。
【０００４】
以降、本明細書で、マルチメディアコンテンツの視聴又は表示について言及がなされるが、より広くはコンテンツ表示（テキスト表示を介した又は混合された視覚的な表示、音響）が含まれることは明らかである。
【０００５】
マルチメディアコンテンツ視聴モードは「ペイ・パー・ビュー」と呼ばれる期間の間存続していることが、当業者に知られている。この視聴モードは、（場合により、予約申込みの形での）支払いに従って定義されるアクセス権によって条件付けられた、一般に暗号化されているマルチメディアコンテンツへのアクセスに基づく。アクセス権の利益を享受するクライアントは、自身の受信器／デコーダにおいて、（例えば、有料のテレビ番組の場合に）自身が要求した又は自身の予約申込みの一部である、キーを介して暗号化されたマルチメディアコンテンツを受け取る。クライアントは、更に、マルチメディアコンテンツ暗号化キーが再生されることを可能にするアクセス権制御データ（通常、ＥＣＭ（Entitlement  Control  Messages）として知られるメッセージ、又はＤＲＭ（Digital  Rights  Management）システムで使用されるライセンスに含まれる。）を受け取る。一般に、クライアントは、クライアントのコンテンツへのアクセス権を記憶しており且つクライアントの受信器／デコーダに挿入されるべきスマートカードを有する。カードに記憶されているセキュアド（secured）データは、アクセス権制御データを用いて暗号化キーを再生し、受け取ったマルチメディアコンテンツの少なくとも一部を復号化して、付随する表示手段によるそれらの表示を可能にするために、受信器／デコーダにより使用される。
【０００６】
マルチメディアコンテンツのこのようなブロードキャストシステムは、特に、米国特許出願公開第２００４／０６８５４１（Ａ１）号明細書（特許文献１）に記載されている。
【０００７】
他に、米国特許第６９３７７３０（Ｂ１）号明細書（特許文献２）では、ユーザに提示される前にコンテンツ（特に、衝撃的な又は細心の注意を払うべきコンテンツ）がマスキングされ得るシステムが知られている。コンテンツ送信チャネルが信頼できるか否かに依存して且つユーザの受信器が信頼できるか否かに依存して、コンテンツをマスキングする動作は、送信チェーンにおける受信器のアップストリームで、又は受信器自体によって、行われる。ユーザに提示されるコンテンツに対するマスクの有無は、ユーザの同一性と、ユーザがそのコンテンツに応じる権限を与えられているか否かとに依存する。
【先行技術文献】
【特許文献】
【０００８】
【特許文献１】米国特許出願公開第２００４／０６８５４１（Ａ１）号明細書
【特許文献２】米国特許第６９３７７３０（Ｂ１）号明細書
【発明の概要】
【発明が解決しようとする課題】
【０００９】
上記の「ペイ・パー・ビュー」視聴モードの欠点は、全部か又は何もないかのどちらかしかないという事実にある。より具体的に、ユーザはコンテンツへのアクセス権を有し、復号化されたマルチメディアコンテンツを見ることができるか、あるいは、ユーザは、アクセス権を有さず、暗号化されたマルチメディアコンテンツ、又は、例えば、アクセス権を購入するよう提案する可能なメッセージを伴った、一般にモノクロの固定画像しか見ることができないか、のどちらかである。言い換えると、受け取ったマルチメディアコンテンツに対するアクセス権を有さない者は、後者の場合に、マルチメディアコンテンツが自身にとって関心があるものであるかどうかを知ることができない。
【００１０】
更に、特許文献２に記載されるシステムは、同じ欠点を有し、すなわち、全部か又は何もないかのどちらかである。ユーザはコンテンツに応じる権限を付与されたユーザとして認められるか、あるいは、ユーザは権限を認められず、そのコンテンツを決して見ることができないか、のどちらかである。
【００１１】
従って、本発明は、このような欠点を解消することを目的とする。
【課題を解決するための手段】
【００１２】
上記の目的のために、本発明は、まず第１に、マルチメディアコンテンツを表示する方法であって、前記マルチメディアコンテンツを表すデータ及び前記マルチメディアコンテンツに関連する外乱データを受信器／デコーダ（ＲＤ）で受け取るステップと、前記マルチメディアコンテンツを表す前記データを、関連する外乱データに従って且つ前記受信器／デコーダに局所的に記憶されている妨害権に従って処理するステップと、局所的な妨害権に依存する外乱レベルに従って、前記外乱データによって定義される外乱を有して前記マルチメディアコンテンツを表示するステップとを有する方法を提案する。
【００１３】
本発明に従う方法は、予備的なステップとして、妨害権の管理のための妨害権管理メッセージを前記受信器／デコーダ（ＲＤ）を介して受け取るステップと、前記妨害権管理メッセージに含まれる情報に従って、前記受信器／デコーダで局所的な妨害権を記憶し及び／又は更新するステップとを有する。
【００１４】
第１実施形態に従って、本発明に従う方法は、前記マルチメディアコンテンツの表示において前記外乱レベルを低下させるユーザコマンドを受け取るステップと、前記受信器／デコーダに予め記憶されているトークンの数を減少させることによって局所的な妨害権を更新し、前記トークンの数は前記ユーザコマンドを介して決定されるステップと、更新された前記局所的な妨害権に依存する新たな外乱レベルに従って、前記マルチメディアコンテンツの表示を変更するステップとを更に有することができる。
【００１５】
第２実施形態に従って、本発明に従う方法は、前記マルチメディアコンテンツの表示において前記外乱レベルを低下させるユーザコマンドを受け取るステップと、管理モジュール（ＭＧＮ）を含む遠隔サーバからのトークンの獲得を通じて前記局所的な妨害権を更新するための要求を送信するステップと、前記トークンの獲得が前記遠隔サーバを介して行われる場合に、局所的な妨害権の更新を含む妨害権管理メッセージを前記受信器／デコーダ（ＲＤ）を介して受け取るステップと、前記妨害権管理メッセージに含まれる情報に従って、前記受信器／デコーダで局所的な妨害権を更新するステップと、更新された前記局所的な妨害権に依存する新たな外乱レベルに従って、前記マルチメディアコンテンツの表示を変更するステップとを更に有することができる。
【００１６】
本発明の優先的な特徴に従って、外乱インテグリティデータが、前記マルチメディアコンテンツを表すデータ及び前記マルチメディアコンテンツに関連する外乱データとともに受信器／デコーダで受け取られ、当該方法は、前記マルチメディアコンテンツの表示の前に、外乱インテグリティデータを用いて、受け取った外乱データのインテグリティを確認するステップと、
前記インテグリティを確認するステップで前記外乱データが誤っていることが明らかになる場合に、所定の最大外乱レベルを有して前記マルチメディアコンテンツを表示するステップ、又は
前記インテグリティを確認するステップで前記外乱データが正しいことが明らかになる場合に、前記受信器／デコーダ（ＲＤ）の前記局所的な妨害権に依存する外乱レベルを有して前記マルチメディアコンテンツを表示するステップと
を更に有する。
【００１７】
本発明の方法の他の具体的な特徴に従って、前記受信器／デコーダ（ＲＤ）が前記マルチメディアコンテンツを表すデータを受け取っている間、データは暗号化された形で受け取られ、前記マルチメディアコンテンツを表すデータを受け取るステップは、前記受信器／デコーダによるアクセス権制御データの受信を含む。前記受信器／デコーダで前記マルチメディアコンテンツを表すデータを処理する前に、当該方法は、前記受信器／デコーダが前記マルチメディアコンテンツにアクセスする権利を有する場合、アクセス権制御データから得られる暗号キーを用いて、前記マルチメディアコンテンツを表すデータを復号化するステップを更に有する。
【００１８】
本発明の有利な特徴に従って、前記外乱インテグリティデータ及び前記アクセス権制御データは、望ましくは暗号化を介して、保護メッセージにおいて前記受信器／デコーダによって受け取られる。
【００１９】
本発明の方法は、個々に又は組み合わせて採られる他の具体的な特徴を有することができる。具体的に：
−  前記外乱データは、少なくとも部分的に前記マルチメディアコンテンツをマスキングすることを目的とする外乱コンテンツ、又は前記マルチメディアコンテンツの表示をその表示の間変更することを目的とする前記マルチメディアコンテンツの変更データを含んでよい。
−  前記外乱データは、異なったユーザプロフィールに関連する複数の異なったパブリシティコンテンツを含むことができ、当該方法は、前記マルチメディアコンテンツの表示の間外乱の形で挿入されるパブリシティコンテンツを前記受信器／デコーダで決定するステップを更に有することができる。
−  局所的な妨害権に依存する外乱レベルに従って前記外乱データによって定義される外乱を有して前記マルチメディアコンテンツを表示するステップの前に、当該方法は、所定の期間の間、如何なる外乱も伴わずに前記マルチメディアコンテンツを表示するステップを有することができる。
【００２０】
本発明は、また、マルチメディアコンテンツの受信器／デコーダであって、前記マルチメディアコンテンツを表すデータ及び前記マルチメディアコンテンツに関連する外乱データを通信ネットワークから受け取るよう備えられた通信手段と、前記マルチメディアコンテンツを表す前記データを、関連する外乱データに従って且つ当該受信器／デコーダに局所的に記憶されている妨害権に従って処理するとともに、前記局所的な妨害権に依存する外乱レベルに従って、前記外乱データによって定義される外乱を有して前記マルチメディアコンテンツを表示手段に提供するよう備えられた復号化手段とを有する受信器／デコーダを提案する。
【００２１】
本発明は、また、通信ネットワークに接続されている受信器／デコーダに送信されることを目的とするマルチメディアコンテンツのプロバイダ装置であって、前記マルチメディアコンテンツを表すデータを前記受信器／デコーダに局所的に記憶されている妨害権に従って処理し、前記マルチメディアコンテンツを該マルチメディアコンテンツに関連する外乱データによって定義される外乱を有して前記局所的な妨害権に依存する外乱レベルに従って表示するために前記受信器／デコーダによって用いられることを目的とする、前記マルチメディアコンテンツに関連する前記外乱データの生成のための手段を有する装置に関する。
【００２２】
本発明の他の特徴及び利点は、以下の詳細な記載及び添付の図面を参照することで明らかになるであろう。
【図面の簡単な説明】
【００２３】
【図１】いずれも通信ネットワークに接続されている本発明に従うマルチメディアコンテンツ提供装置の実施形態及び本発明に従う受信器／デコーダの実施形態を有する通信設備の一例を図式的且つ機能的に示す。
【図２】灰色の長方形の形で示されている外乱を有して表示されている画像の第１の例を図式的に示す。
【図３】パブリシティバナーの形で示されている外乱を有して表示されている画像の第２の例を図式的に示す。
【図４】灰色の長方形の形で及びパブリシティバナーの形で夫々示されている２つの外乱を有して表示されている画像の例を図式的に示す。
【発明を実施するための形態】
【００２４】
本発明の目的は、通信ネットワークに接続されている受信器／デコーダによる、局所的な権利に従う可変な外乱を伴ったマルチメディアの視聴を可能にすることである。
【００２５】
以下、非制限的な例として、通信ネットワークは衛星ネットワークであると考えられる。しかし、本発明は、接続されている（あるいは、中継を介して到達され得る）受信器／デコーダへ、ポイント・ツー・マルチポイント（すなわち、ブロードキャスト）モード又はポイント・ツー・ポイント（すなわち、ユニキャスト）モードで、ブロードキャストチャネルにおいて、マルチメディアコンテンツを定義するデータブロックを送信することができるあらゆるタイプの通信ネットワークに関する。このようにして、本発明は、また、例えば、ｘＤＳＬタイプのケーブルネットワーク若しくは電話ネットワーク等の高ビットレートの有線ネットワークと、ＬＡＮ（Local  Area  Network）タイプのケーブルネットワーク若しくは電話ネットワーク等の局所的な有線ネットワークと、移動体又は携帯電話ネットワーク（ＧＳＭ／ＧＰＲＳ、ＥＤＧＥ、ＵＭＴＳ、ＣＤＭＡ２０００及びそれらの拡張等）及び局所的な無線ネットワーク（ＷＬＡＮ（Wireless  Local  Area  Network標準規格−ＩＥＥＥ８０２．１１、Ｗｉ−Ｆｉ、Ｗｉ−Ｆｉ  ＭＩＭＯ、ＥＴＳＩ  ＨｉｐｅｒＬＡＮ／２）、ブルートュース（ＩＥＥＥ８０２．１５）及びＷｉＭＡＸ（ＩＥＥＥ８０２．１６、ＥＴＳＩ  ＨｉｐｅｒＭＡＮ）及びＺｉｇｂｅｅ）の無線通信ネットワークとにも関する。
【００２６】
図１で図式的に示されているように、本発明の実施には、通信ネットワークＲＣ、マルチメディアコンテンツ提供装置ＥＲ、及びコンテンツ表示手段ＳＶと結合されている受信器／デコーダＲＤが必要とされる。
【００２７】
例えば、マルチメディアコンテンツ提供装置ＥＲは、望ましくは暗号化されたコンテンツデータのブロックの形で、例えばテレビ番組等のマルチメディアコンテンツ（一般に音響トラックを伴う画像シーケンス）を供給するコンテンツサーバである。例えば、このコンテンツサーバＥＲは、ＩＰ（Internet  Protocol）パケットの形で暗号化されているコンテンツデータのブロックを供給するＩＰサーバである。このコンテンツサーバＥＲは、通信ネットワークＲＣに接続されている少なくとも１つの通信モジュールＭＣ１と、本発明に従うマルチメディアコンテンツ提供装置Ｄと、受信器／デコーダＲＤに送信されるマルチメディアコンテンツを記憶するコンテンツデータベースＢＤＣとを有する。変形例として、装置Ｄがそれ自体コンテンツデータベースＢＤＣ及び／又は通信手段ＭＣ１を有してよいことは、明らかである。
【００２８】
本発明に従う装置Ｄは、少なくとも、第１の暗号化モジュールＭＧ１と、第２の外乱データ生成モジュールＭＧ２とを有する。
【００２９】
第１の暗号化モジュールＭＧ１はコンテンツデータベースＢＤＣと結合されており、記憶されているマルチメディアコンテンツデータブロックを暗号化し、それらの暗号化されたブロックを、受信器／デコーダＲＤへの送信を目的として、通信モジュールＭＣ１に結合されている出力部で供給する。暗号化はキーを用いて行われ、キー自体は、暗号化モジュールＭＧ１が自身の出力部で供給するコンテンツアクセス権制御データ（例えば、ＥＣＭメッセージ又はライセンス）において送信される。
【００３０】
第２の外乱データ生成モジュールＭＧ２は、少なくとも外乱データを出力部で供給することができる。外乱データはコンテンツ外乱を表し、受信器／デコーダＲＤによって局所的に、受信器／デコーダＲＤが各自の局所的な妨害権に従って干渉された形で表現するコンテンツの視聴のために送信（ブロードキャスト）されたデータのブロックを処理するために用いられる。
【００３１】
ここで、「外乱（妨害）（disturbance）」とは、視聴されるマルチメディアコンテンツにオーバーレイモードで付加され得るもの及びマルチメディアコンテンツの変更又は劣化をいう。このように、外乱は、必ずしも、視聴されるマルチメディアコンテンツの劣化を意味しているわけではない。
【００３２】
結果として、外乱データは、ここでは、外乱コンテンツ（例えば、マルチメディアコンテンツに挿入される宣伝（パブリシティ）（publicity））又はマルチメディアコンテンツに適用される外乱の定義（例えば、マルチメディアコンテンツの区域の非表示又は埋め込まれたフレーム若しくは長方形の付加）を構成する全てのものを表す。外乱データは、表示の間マルチメディアコンテンツ一部分をマスキングするようマルチメディアに付加されているデータ、又はこのコンテンツの外観をその表示の間変更するマルチメディアコンテンツ変更データである。
【００３３】
外乱の例が図２〜４に示されている。
【００３４】
図２に示される例は、選択された区域（その場所は画像ごとに異なってよい。）での、灰色で塗りつぶされた長方形の挿入（又は灰色画素による一部の画素の置換）を伴う（ある選択された遅延後の）表示コンテンツの各画像の外乱に対応する。図３に示される例は、選択された区域（その場所は画像ごとに異なってよい。）での、パブリシティメッセージを含むバナーの挿入（又は灰色画素による一部の画素の置換）を伴う（ある選択された遅延後の）表示コンテンツの各画像の外乱に対応する。
【００３５】
また、外乱データは、少なくとも２つの異なるタイプの外乱の組合せに対応してもよい。とりわけ、これは、図４に示される例における場合である。この場合に、（ある選択された遅延後の）表示コンテンツの各画像は、選択された区域（その場所は画像ごとに異なってよい。）での、灰色で塗りつぶされた長方形の挿入と、パブリシティメッセージを含むバナーの挿入（その場所は画像ごとに異なってよい。）とを伴う。
【００３６】
外乱及び外乱の組み合わせの多数の他の例が、漸進的な又は不変の特徴を有して考えられ得る。
【００３７】
留意すべきは、外乱データの形で供給されるコンテンツの外乱は妨害権に従ってマルチメディアコンテンツに適用される点である。この妨害権はマルチメディアコンテンツアクセス権と混同されてはならない。かかる妨害権は、局所的に適用される外乱のレベルを定義する。例えば、外乱のレベルは、元のマルチメディアコンテンツでのオーバーレイとして表示される外乱データの透明度のレベル（０％（完全に透明）から１００％（完全に不透明））であってよい。外乱データが音声データである場合、外乱のレベルは音量であってもよい。
【００３８】
あらゆるタイプのコンテンツ外乱が考えられ得、特に：
−  マルチメディアコンテンツの画像への、例えば、視聴されるマルチメディアコンテンツのプロバイダからの他のパブリシティコンテンツを含むバナーのオーバーレイ、
−  マルチメディアコンテンツの画像への、視覚的な又は音声の著作権メッセージのオーバーレイ、
−  マルチメディアコンテンツの画像への、例えば、コンテンツによって定義される番組を購入する案内等の情報メッセージのオーバーレイ、
−  マルチメディアコンテンツの画像への、例えば、名前及び／又は通信識別子等の関連するユーザを表す少なくとも１つの識別子のオーバーレイ、
−  マルチメディアコンテンツに無関係な音響の付加、
−  画像シーケンスに付随する音響の劣化又は抑制、
−  例えば、黒又は白のスクリーン背景等の少なくとも１つの固定のモノクロ画像（又はブランク画像）による、視聴されるマルチメディアコンテンツの置換、
−  少なくとも１つの選択されたタイプによって定義される、視聴されるマルチメディアコンテンツの画像の劣化（最適な品質レベルと劣化したレベルとの間での漸進的な劣化、選択された妨害権によって定義される劣化定数、画像の一部分のみの劣化、画像区域の回転、画像の一部分の非表示、等）
がある。
【００３９】
留意すべきは、複数の外乱タイプが同時に適用されてよい点である。
【００４０】
更に、外乱データは、場合により、異なったユーザプロフィールと関連付けられている複数の異なったパブリシティコンテンツを定義することができる。この場合に、視聴されるマルチメディアコンテンツに（オーバーレイとして）挿入されるパブリシティコンテンツは、局所的に、（ローカルメモリに記憶されている）ユーザプロフィールに従って受信器／デコーダの復号化モジュールＭＤによって選択される。
【００４１】
コンテンツ外乱は、場合により、それらが補完するコンテンツに準じてよく、望ましくは、第２の外乱データ生成モジュールＭＧ２は、図１に示されるように、第１の暗号化モジュールＭＧ１と結合され、それらの動作は同期する。
【００４２】
暗号化された（符号化された）コンテンツデータ、相補的な外乱データ（例えば、外乱の内容（文字、画像、等）と、画面における位置付けとを含む。）、及びコンテンツアクセス権に対する制御データ（コンテンツ暗号化キーを含む。）のブロックは、通信モジュールＭＣ１によってネットワークＲＣに送信され、これにより、次いで、ネットワークＲＣは、それらのブロックを、関連する受信器／デコーダＲＤに送信することができる。
【００４３】
望ましくは、データがブロードキャストタイプの伝播によって送信される場合、コンテンツデータのブロックは、外乱データとともに、トランスポートストリームにおいてブロードキャストチャネルで送信される。例えば、符号化の基準ＩＳＯ／ＩＥＣ１３８１８−１が使用される場合に、映像を含むデータのブロックは第１の特定の識別子ＰＩＤ（パケット識別子）を有するパケットにおいて送信され、音声を含むデータのブロックは第２のＰＩＤを有するパケットにおいて送信され、外乱データは第３のＰＩＤを有するデータのパケットにおいて送信される。更に、アクセス権制御データは、例えば、それ自体が自身に特有のＰＩＤを有するパケットにおいて送信されるＥＣＭ（Entitlement  Control  Message）タイプの相補的メッセージにおいて、ブロードキャストチャネルで送信される。望ましくは、このようなＥＣＭタイプのメッセージは符号化によって保護され、認証されている受信器／デコーダのみが、ＥＣＭが復号化されることを可能にするキーを有する。データがブロードバンド伝播モードで送信される場合、コンテンツデータのブロックは、外乱データ及びアクセス権制御データとともに、ブロードキャスト又はマルチキャストストリームにおいて送信される。
【００４４】
また、コンテンツとともに送信される外乱データのインテグリティの確認のためのメカニズムが設けられてよいことが分かる。このために、装置Ｄは、予めアクセス権制御データを含む（ＥＣＭタイプの）保護されたメッセージにおいて優先的に送信される外乱インテグリティデータを外乱データに付加することができる。インテグリティデータは、例えば、外乱データへのハッシュ関数の適用によって、送信されるマルチメディアコンテンツに適用され得る外乱データに従って生成される。
【００４５】
このインテグリティデータは、次いで、外乱データが（例えば、外乱を最小限とするよう）不法に変更されていないことを確かめるために夫々の受信器／デコーダによって使用される。
【００４６】
装置Ｄが本発明に従って場合により有することができる追加のモジュールについては、後で論じる。
【００４７】
夫々の受信器／デコーダＲＤは、少なくとも１つの通信モジュールＭＣ２と、復号化モジュール（又はユニット）ＭＤとを有する。
【００４８】
例えば、受信器／デコーダＲＤは、セットトップボックス、又は通信設備のデジタルデコーダタイプの装置である。それは、例えば、テレビ受像機ＳＶ（例えば、図１に示される例）、固定の若しくは持ち運び可能なコンピュータ、固定の若しくは持ち運び可能な電話機、通信可能なデジタルパーソナルアシスタント（すなわち、ＰＤＡ）、又は輸送車両に装着された、場合によりＴＮＴ／ＤＶＢ−Ｈタイプの移動体端末に接続され、又はそれらの一部であってよい。
【００４９】
通信モジュールＭＣ２は、通信ネットワークＲＣに結合される。通信モジュールＭＣ２は、ブロードキャストチャネルで、一方では、コンテンツデータ（望ましくは、符号化されている。）及び相補的な外乱データを、他方では、保護されているメッセージにおいて送信されるアクセス権制御データ及び外乱インテグリティデータを受信することに少なくとも関与する。これらのデータは全てコンテンツサーバＥＲから発せられる。
【００５０】
復号化モジュールＭＤは、通信モジュールＭＣ２がネットワークから受信したＲＣコンテンツデータ、外乱データ、外乱インテグリティデータ及びアクセス権制御データを受け取るために、通信モジュールＭＣ２に結合されている。
【００５１】
復号化モジュールＭＤは、視聴されるコンテンツが局所的な妨害権に従って夫々の外乱を組み込むように、受信器／デコーダＲＤに局所的に記憶されている妨害権に従って、且つ、コンテンツに対し相補的に受信される関連する外乱データに従って、コンテンツデータのブロックを処理することに関与する。
【００５２】
図１に示されるように、復号化モジュールＭＤは復号化サブモジュールＳＭＤを有し、復号化サブモジュールＳＭＤは、例えば、コンテンツデータが、視聴されるコンテンツを伝達するために、符号化された形で受信される場合に、このコンテンツデータのブロックを復号化することに関与する。モジュールＭＤは、更に、復号化サブモジュールＳＭＤの出力部に結合されており、視聴されるコンテンツに対して局所的な（すなわち、考えられている受信器／デコーダＲＤに特有の）妨害権に従って外乱を付加することに関与する外乱統合サブモジュールＳＭＰを有する。
【００５３】
この局所的な妨害権は、例えば、（ＤＲＭシステムで使用される限定受信方式（conditional  access  systems）又はラインセンス（Licences）においてＥＭＭ（Entitle  Management  Message）として知られるメッセージと類似する）妨害権管理メッセージにおいて、予め受信器／デコーダＲＤで受信されている。このような妨害権管理メッセージは、具体的に受信器／デコーダにアドレッシングされて、単一の受信器／デコーダ（又は決定された受信器／デコーダのグループ）を対象とする。このような妨害権管理メッセージは、コンテンツ自体に対して非相関であるように送信される。通常、コンテンツがブロードキャストタイプの伝播によって送信される場合、妨害権管理メッセージは、ストリームにおいてカルーセル（carrousel）で、すなわち、繰り返し、送信される。コンテンツがブロードバンド伝播モードで送信される場合、妨害権管理メッセージは、サーバＥＲと受信器／デコーダＲＤとの間で、ユニキャストストリームで送信される。新たな妨害権管理メッセージは、ユーザが自身の予約申し込みを変更する場合に、又はユーザが例えば外乱を低減すべく追加の権利を購入する場合に、受信器／デコーダにアドレッシングされる。
【００５４】
サブモジュールＳＭＤ及びＳＭＰは、実施例では、アクセス制御モジュールＭＣＡに接続されている。このアクセス制御モジュールＭＣＡは、セキュアド（secured）ローカルメモリに記憶されているセキュアドメッセージ及びアクセス権制御データを用いてコンテンツ符号化キーを再生する。
【００５５】
ローカルメモリは、例えば、スマートカードＣＰに含まれている。この場合に、図１に示されるように、アクセス制御モジュールＭＣＡは、スマートカードＣＰを受容し且つそのメモリ内に記憶されている情報を読み出すことができるカードリーダＬＣを有する。
【００５６】
コンテンツ符号化キーが決定されると、アクセス制御モジュールＭＣＡはそれらをサブモジュールＳＭＤに送信する。次いで、サブモジュールＳＭＤは、受信されている符号化されたコンテンツデータのブロックを復号化することができる。
【００５７】
結果は、外乱統合サブモジュールＳＭＰに送信されるコンテンツの部分である。外乱統合サブモジュールＳＭＰは、選択された存続期間にわたって如何なる外乱も伴わない視聴を可能にするために、マルチメディアコンテンツの局所的受信の開始に続く選択された存続期間の間停止される。この場合に、外乱統合サブモジュールＳＭＰは、復号化サブモジュールＳＭＤによって復号化されたコンテンツの部分を表示手段ＳＶに直接に送信し、これにより、マルチメディアコンテンツは、如何なる外乱も伴わずに表示され始める。
【００５８】
変形例で、受信された外乱データは、外乱統合サブモジュールＳＭＰに、購入されているトークンの数に依存する外乱レベルに従ってマルチメディアコンテンツへのアクセスを提案する情報メッセージを、視聴されるマルチメディアコンテンツの各画像（又は画像のグループ）に挿入させる。実際に、ユーザは、例えば、トークン（token）の形で、外乱を低減する追加の権利を購入することができる。決定された数のトークンの購入は、局所的な妨害権が、表示コンテンツの外乱のレベルを低下させるよう変更されることを可能にする。この場合に、ユーザは、情報メッセージとともにマルチメディアコンテンツを見ることから始め、そして、ユーザは、トークンを購入することに決め、この場合に、購入したトークンの数に従う外乱レベル（又は権利）を有して残りのマルチメディアコンテンツを見る。あるいは、ユーザがトークンを購入することを拒む場合、ユーザは、マルチメディアコンテンツとともに受信された外乱データに従って、且つ、受信器／デコーダに記憶されている局所的な妨害権に従って、部分的に又は全体的に干渉された形で、残りのマルチメディアコンテンツを見る。
【００５９】
外乱データが直ぐには情報メッセージの挿入を課さない場合、アクセス制御モジュールＭＣＡは、局所的な妨害権が低めることを可能にする多数のトークンを購入するよう受信器／デコーダＲＤのユーザに提案するメッセージを表示手段ＳＶにより表示するよう命じることができる。
【００６０】
ここで、「高められた妨害権」とは、強められた（又は高レベルの）外乱に対応する権利をいい、「低い妨害権」とは、低レベルの外乱をいう。
【００６１】
非制限的な例として、１つのトークンの購入は、高められた妨害権（しかし、最大ではない。）に従う視聴を可能にし（例えば、パブリシティバナーの挿入と組み合わされた画像及び／又は音響品質の平均的な劣化）、３つのトークンの購入は、平均的な妨害権に従う視聴を可能にし（例えば、パブリシティバナーの挿入と組み合わされた画像及び／又は音響品質の低度の劣化）、５つのトークンの購入は、低い妨害権に従う視聴を可能にし（例えば、画像及び／又は音響品質の低度の劣化）、１０個のトークンの購入は、無効な妨害権に従う視聴を可能にする（外乱を伴わない、最適な画像及び音響品質に対応）。
【００６２】
ユーザによって購入されるトークンの数（ここでは、０から１０までの間の数）は、銀行口座（bank  account）又はローカルアカウント（local  account）から引き落とされるべき金額に対応する。
【００６３】
例えば、アクセス制御モジュールＭＣＡは、ユーザが購入したいと望むトークンの数を、ローカルメモリＭＹに記憶されている予め購入してあるトークンの数から削減するよう構成される。ローカルメモリＭＹは、例えば、スマートカードＣＰに含まれる。この場合に、カードリーダＬＣは、また、メモリＭＹに記憶されている、見つけられる予め購入してあるトークンの数を読み出し、その数を、予め購入してあるトークンの数からユーザが購入したいと望むトークンの数を削除した結果に等しい新たな数により置換することができる。
【００６４】
当然、（セキュアドローカルメモリに記憶されているトークンの数を削減することによる）受信器／デコーダの位置で局所的に局所的な妨害権を更新するこのような方法は、（ＥＭＭタイプの）妨害権管理メッセージの送信による上記の局所的な妨害権の更新の方法に代わるものである。
【００６５】
記憶されているトークンの数が十分に多くない場合、又はアクセス制御モジュールＭＣＡが引き落とし（又は削減）動作を行うよう設計されてない場合、アクセス制御モジュールＭＣＡは、通信ネットワークの帰路チャネル（必ずしも、ブロードキャストチャネルに使用されるＲＣと同じであるわけではない。）で、コンテンツサーバＥＲに装備された装置Ｄとの接続を確立することができる。次いで、アクセス制御モジュールＭＣＡは、受信器／デコーダＲＤの通信チャネルＭＣ２に、ユーザによって行われるトークンを購入するための要求をコンテンツサーバＥＲに送信するよう命令することができる。
【００６６】
この場合に、装置Ｄは、通信モジュールＭＣ１に結合されており、購入要求を行ったユーザに属するアカウント（銀行口座、又は予め購入してあるトークンのアカウント）の引き落としを準備することに関与する管理モジュールＭＧＮを有する。これが可能であるならば、管理モジュールＭＧＮは、ユーザによって選択されたトークンの数の購入に対応するアカウントによって、又は選択されたトークンの数によって、アカウントを借記する。次いで、管理モジュールＭＧＮは、通信モジュールＭＣ１に、要求されたトークンの数の購入（又は購入要求の拒絶）を確認するメッセージを送り、通信モジュールＭＣ１は、そのメッセージを、望ましくは通信ネットワークＲＣのブロードキャストチャネルで、（ユニキャストモードにおいて）関連する受信器／デコーダＲＤに送信することができる（なお、これは、一般的に双方向タイプである帰路チャネルで同じように行われてよい。）。関連する受信器／デコーダＲＤの通信モジュールＭＣ２がこのようなメッセージを受け取ると、通信モジュールＭＣ２は、そのメッセージを復号化モジュールＭＤに送り、復号化モジュールＭＤはメッセージをアクセス制御モジュールＭＣＡに転送する。
【００６７】
当然、管理モジュールＭＧＮは、必ずしもコンテンツ分配サーバＤに含まれるわけではない。それは、また、金融仲介機関（例えば、銀行）のサーバの一部であってよい。
【００６８】
装置Ｄは、また、受信器／デコーダＲＤに配信されるコンテンツへのアクセス権データを決定することに関与する制御モジュールＭＣＴを有してよい。この場合に、制御モジュールＭＣＴは、受信器／デコーダＲＤのユーザが自身の予約申込み又はペイパービュー・コンテンツの特定の購入に従ってどのようなコンテンツタイプを見ることを認められているのかを、クライアントデータベースにおいて決定する。この動作モードは、特に、有料のテレビジョンアプリケーション又はＣＡＴＶ（条件付きアクセス（Conditional  Access）ＴＶ）で知られている。
【００６９】
夫々の受信器／デコーダに特有のこのアクセス権データは、一般に、受信器／デコーダへ、関連する妨害権とともに、各月の始めに送信される。データは、例えば、ＥＭＭ（Entitled  Management  Message）タイプの、特に受信器／デコーダへの相補的なメッセージアドレスにより、ストリームにおいて、ブロードキャストで送信される。受信器／デコーダＲＤの通信モジュールＭＣ２がこのような相補的なメッセージを受信すると、通信モジュールＭＣ２は、アクセス権データ及び妨害権データを復号化モジュールＭＤに送り、次いで、それらをカードＣＰのメモリに安全な方法で記憶する。
【００７０】
当然、コンテンツへのアクセス権及び局所的な妨害権は、スマートカードのメモリ又はセキュアドＵＳＢキー等のセキュアドメモリに記憶される。それらは、また、例えば、証明書によって保護されるキーを用いて符号化することによってそれ自体保護されているライセンスファイルＤＲＭに含まれてもよい。コンテンツへのアクセス権及び妨害権に適用し又はそれらを処理する、図１に示されるモジュールＭＣＡ、ＳＭＤ及びＳＭＰも保護されるべきである。それは、セキュアドプロセッサ（例えば、スマートカード）によって実行されるアプリケーション又はセキュアコーディング（secure  coding）によって保護されているアプリケーションである。
【００７１】
受信器／デコーダＲＤは、その復号化モジュールＭＤで、コンテンツデータ、外乱データ、外乱インテグリティデータ及びアクセス権制御データのブロックを受け取る場合に、（通常、ＭＣＡモジュール又はＳＭＤモジュールで）２つの確認を行う。第１の確認には、受信器／デコーダＲＤのセキュアドメモリ（例えば、カードＣＰのメモリ）に記憶されているアクセス権データを、コンテンツとともに送信されたアクセス権制御データと比較して、デコーダのユーザが、このコンテンツを受信するとともに、以前に見たコンテンツの符号化キーを再生することを実際に認められていることを確定的にすることが含まれる。第２の確認は、受信された外乱データのインテグリティを外乱インテグリティデータを用いて確認するために行われる。例えば、インテグリティデータが外乱データにハッシュ関数を適用して（サーバＥＲによって）生成される場合、受信器／デコーダＲＤでの確認には、受信された外乱データに同じハッシュ関数を適用して、この計算の結果を、受信された外乱インテグリティデータと比較することが含まれる。
【００７２】
この第２の確認により外乱データが誤っている（すなわち、外乱データがその最初の内容に対して変更されている）ことが明らかになった場合、局所的な妨害権が何であろうと、最大外乱レベルが、受信器／デコーダＲＤによって、コンテンツの表示において適用される。
【００７３】
しかし、第２の確認により外乱データが正しいことが明らかになった場合、サブモジュールＳＭＰは、局所的な妨害権に依存する外乱レベルに従って、外乱データによって定義される外乱を適用する。更に、受信器／デコーダのユーザは、新しい妨害権（実際には、外乱を低減する権利）を局所的に取得することによって、又は例えば自身のスマートカードからトークンを削除することによって、又はサーバＥＲとの交換によって、外乱のレベルを低下される。
【００７４】
当然、ユーザが、関心のある１つの番組から他の番組に頻繁に移って、外乱統合メカニズムが関心のある番組に全く連続的に寄与する方法であることを毎回解除することを回避するよう、外乱統合サブモジュールＳＭＰは、選択された数の（例えば、専用カウンタによりカウントされる２又は３の）変更の後、最も高い妨害権（高レベルの外乱。例えば、音響が伴わない固定のモノクロ画像）をコンテンツに自動的に適用するよう構成されることが考えられ得る。
【００７５】
また、当然、局所的な妨害権の決定がない場合、外乱統合サブモジュールＳＭＰは、優先的に、最も高い妨害権（高レベルの外乱。例えば、音響が伴わない固定のモノクロ画像）を、視聴される復号化されたコンテンツへデフォルトで自動的に適用するように構成される。
【００７６】
また、当然、復号化モジュールＭＤ及び例えばその外乱統合サブモジュールＳＭＰは、受信器／デコーダＲＤの出力部の１つ又は表示手段ＳＶに結合されるローカルコンテンツ記録装置に、受信器／デコーダの局所的な妨害権又は最も高い妨害権（例えば、音響が伴わない固定のモノクロ画像）に対応する外乱を有して復号化されたコンテンツを記録させるように構成されてよい。この前提は、権限付与のないコンテンツの再生を禁止することを目的としている。変形例で、ユーザが購入したトークンに対応する妨害権はコンテンツ再生権も定義することが考えられ得る。例えば、少なくとも１つのユーザ識別子が、誰がコンテンツ再生の起始部にいるのかを決定することができるように、復号化されたコンテンツと同時に記録されることが考えられ得る。
【００７７】
優先的に、復号化モジュールＭＤは、ソフトウェアモジュールの形で実現される。しかし、それは、電子回路（ハードウェア）又はソフトウェアモジュールとハードウェアとの組み合わせの形で実現されてよいことが考えられ得る。
【００７８】
同様に、装置Ｄは、優先的に、アプリケーションモジュールの形で実現される。しかし、それは、電子回路（ハードウェア）又はソフトウェアモジュールとハードウェアとの組み合わせの形で実現されてよいことが考えられ得る。
【００７９】
本発明は、上述される、非制限的な例としてのみ提供されるマルチメディアコンテンツを見るための方法、受信器／デコーダ及びマルチメディアコンテンツ提供装置に係る実施形態に限定されず、添付の特許請求の範囲で定められる技術的範囲内で当業者が想到可能な全ての変形例を包含する。
【図１】
2011517381.tif 000003
【図２】
2011517381.tif 000004
【図３】
2011517381.tif 000005
【図４】
2011517381.tif 000006
【手続補正書】
【提出日】平成22年9月1日(2010.9.1)
【手続補正１】
【補正対象書類名】特許請求の範囲
【補正対象項目名】全文
【補正方法】変更
【補正の内容】
【特許請求の範囲】
【請求項１】
マルチメディアコンテンツを表示する方法であって、
前記マルチメディアコンテンツを表すデータ及び前記マルチメディアコンテンツに関連する外乱データを受信器／デコーダで受け取るステップと、
前記マルチメディアコンテンツを表す前記データを、関連する外乱データに従って且つ前記受信器／デコーダに局所的に記憶されている妨害権に従って処理するステップと、
複数の外乱レベルの中の、局所的な妨害権に依存する外乱レベルに従って、前記外乱データによって定義される外乱を有して前記マルチメディアコンテンツを表示するステップと
を有する方法。
【請求項２】
予備的なステップとして、
妨害権管理メッセージを前記受信器／デコーダによって受け取るステップと、
前記妨害権管理メッセージに含まれる情報に従って、前記受信器／デコーダで局所的な妨害権を記憶し及び／又は更新するステップと
を有する、ことを特徴とする請求項１に記載の方法。
【請求項３】
前記マルチメディアコンテンツの表示において前記外乱レベルを低下させるユーザコマンドを受け取るステップと、
前記受信器／デコーダに予め記憶されているトークンの数を減少させることによって局所的な妨害権を更新し、前記トークンの数は前記ユーザコマンドを介して決定されるステップと、
更新された前記局所的な妨害権に依存する新たな外乱レベルに従って、前記マルチメディアコンテンツの表示を変更するステップと
を更に有する、ことを特徴とする請求項１又は２に記載の方法。
【請求項４】
前記マルチメディアコンテンツの表示において前記外乱レベルを低下させるユーザコマンドを受け取るステップと、
管理モジュールを含む遠隔サーバからのトークンの獲得を通じて前記局所的な妨害権を更新するための要求を送信するステップと、
前記遠隔サーバを介して行われ得る前記トークンの獲得時の局所的な妨害権の更新を含む妨害権管理メッセージを、前記受信器／デコーダを介して受け取るステップと、
前記妨害権管理メッセージに含まれる情報に従って、前記受信器／デコーダで局所的な妨害権を更新するステップと、
更新された前記局所的な妨害権に依存する新たな外乱レベルに従って、前記マルチメディアコンテンツの表示を変更するステップと
を更に有する、ことを特徴とする請求項１又は２に記載の方法。
【請求項５】
外乱インテグリティデータが、前記マルチメディアコンテンツを表すデータ及び前記マルチメディアコンテンツに関連する外乱データとともに受信器／デコーダで受け取られ、
当該方法は、
前記マルチメディアコンテンツの表示の前に、外乱インテグリティデータを用いて、受け取った外乱データのインテグリティを確認するステップと、
前記インテグリティを確認するステップで前記外乱データが誤っていることが明らかになる場合に、所定の最大外乱レベルを有して前記マルチメディアコンテンツを表示するステップ、又は
前記インテグリティを確認するステップで前記外乱データが正しいことが明らかになる場合に、前記受信器／デコーダの前記局所的な妨害権に依存する外乱レベルを有して前記マルチメディアコンテンツを表示するステップと
を更に有する、ことを特徴とする請求項１乃至４のうちいずれか一項に記載の方法。
【請求項６】
前記受信器／デコーダが前記マルチメディアコンテンツを表すデータを受け取っている間、データは暗号化された形で受け取られ、前記マルチメディアコンテンツを表すデータを受け取るステップは、前記受信器／デコーダによるアクセス権制御データの受信を更に含み、
前記受信器／デコーダで前記マルチメディアコンテンツを表すデータを処理する前に、当該方法は、前記受信器／デコーダが前記マルチメディアコンテンツにアクセスする権利を有する場合、アクセス権制御データから得られる暗号キーを用いて、前記マルチメディアコンテンツを表すデータを復号化するステップを更に有する、ことを特徴とする請求項１乃至５のうちいずれか一項に記載の方法。
【請求項７】
前記外乱インテグリティデータ及び前記アクセス権制御データは、望ましくは暗号化を介して、保護メッセージにおいて前記受信器／デコーダによって受け取られる、ことを特徴とする請求項６に記載の方法。
【請求項８】
前記外乱データは、少なくとも部分的に前記マルチメディアコンテンツをマスキングすることを目的とする外乱コンテンツ、又は前記マルチメディアコンテンツの表示をその表示の間変更することを目的とする前記マルチメディアコンテンツの変更データを含む、ことを特徴とする請求項１乃至７のうちいずれか一項に記載の方法。
【請求項９】
前記外乱データは、異なったユーザプロフィールに関連する複数の異なったパブリシティコンテンツを含むことができ、
当該方法は、前記マルチメディアコンテンツの表示の間外乱の形で挿入されるパブリシティコンテンツを前記受信器／デコーダで決定するステップを更に有する、ことを特徴とする請求項８に記載の方法。
【請求項１０】
複数の外乱レベルの中の局所的な妨害権に依存する外乱レベルに従って前記外乱データによって定義される外乱を有して前記マルチメディアコンテンツを表示するステップの前に、当該方法は、所定の期間の間、如何なる外乱も伴わずに前記マルチメディアコンテンツを表示するステップを有する、ことを特徴とする請求項１乃至９のうちいずれか一項に記載の方法。
【請求項１１】
マルチメディアコンテンツの受信器／デコーダであって、
前記マルチメディアコンテンツを表すデータ及び前記マルチメディアコンテンツに関連する外乱データを通信ネットワークから受け取るよう備えられた通信手段と、
前記マルチメディアコンテンツを表す前記データを、関連する外乱データに従って且つ当該受信器／デコーダに局所的に記憶されている妨害権に従って処理するとともに、複数の外乱レベルの中の、前記局所的な妨害権に依存する外乱レベルに従って、前記外乱データによって定義される外乱を有して前記マルチメディアコンテンツを表示手段に提供するよう備えられた復号化手段と
を有する受信器／デコーダ。
【請求項１２】
通信ネットワークに接続されている受信器／デコーダに送信されることを目的とするマルチメディアコンテンツを提供する装置であって、
前記マルチメディアコンテンツを表すデータを前記受信器／デコーダに局所的に記憶されている妨害権に従って処理し、前記マルチメディアコンテンツを、該マルチメディアコンテンツに関連する外乱データによって定義される外乱を有して、複数の外乱レベルの中の、前記局所的な妨害権に依存する外乱レベルに従って表示するために前記受信器／デコーダによって用いられることを目的とする、前記マルチメディアコンテンツに関連する前記外乱データの生成のための手段を有する装置。
【手続補正２】
【補正対象書類名】明細書
【補正対象項目名】００１２
【補正方法】変更
【補正の内容】
【００１２】
上記の目的のために、本発明は、まず第１に、マルチメディアコンテンツを表示する方法であって、前記マルチメディアコンテンツを表すデータ及び前記マルチメディアコンテンツに関連する外乱データを受信器／デコーダ（ＲＤ）で受け取るステップと、前記マルチメディアコンテンツを表す前記データを、関連する外乱データに従って且つ前記受信器／デコーダに局所的に記憶されている妨害権に従って処理するステップと、複数の外乱レベルの中の、局所的な妨害権に依存する外乱レベルに従って、前記外乱データによって定義される外乱を有して前記マルチメディアコンテンツを表示するステップとを有する方法を提案する。
【手続補正３】
【補正対象書類名】明細書
【補正対象項目名】００１６
【補正方法】変更
【補正の内容】
【００１６】
本発明の優先的な特徴に従って、外乱インテグリティデータが、前記マルチメディアコンテンツを表すデータ及び前記マルチメディアコンテンツに関連する外乱データとともに受信器／デコーダで受け取られ、当該方法は、前記マルチメディアコンテンツの表示の前に、外乱インテグリティデータを用いて、受け取った外乱データのインテグリティを確認するステップと、
前記インテグリティを確認するステップで前記外乱データが誤っていることが明らかになる場合に、所定の最大外乱レベルを有して前記マルチメディアコンテンツを表示するステップ、又は
前記インテグリティを確認するステップで前記外乱データが正しいことが明らかになる場合に、複数の外乱レベルの中の、前記受信器／デコーダ（ＲＤ）の前記局所的な妨害権に依存する外乱レベルを有して前記マルチメディアコンテンツを表示するステップと
を更に有する。
【手続補正４】
【補正対象書類名】明細書
【補正対象項目名】００２１
【補正方法】変更
【補正の内容】
【００２１】
本発明は、また、通信ネットワークに接続されている受信器／デコーダに送信されることを目的とするマルチメディアコンテンツのプロバイダ装置であって、前記マルチメディアコンテンツを表すデータを前記受信器／デコーダに局所的に記憶されている妨害権に従って処理し、前記マルチメディアコンテンツを、該マルチメディアコンテンツに関連する外乱データによって定義される外乱を有して、複数の外乱レベルの中の、前記局所的な妨害権に依存する外乱レベルに従って表示するために前記受信器／デコーダによって用いられることを目的とする、前記マルチメディアコンテンツに関連する前記外乱データの生成のための手段を有する装置に関する。
【国際調査報告】
2011517381.tif 000007
2011517381.tif 000008
2011517381.tif 000009
2011517381.tif 000010
2011517381.tif 000011
2011517381.tif 000012